(57)【特許請求の範囲】
【請求項１】
伸展状態の関節屈曲部外面に対応した形状を呈する関節屈曲部外面被覆用伸縮性生地部片と、屈曲状態の関節屈曲部内面に対応した形状を呈する関節屈曲部内面被覆用伸縮性生地部片との接合筒状体から成ることを特徴とする関節用サポーター。
【請求項２】
屈曲状態が９０°である請求項１記載の関節用サポーター。
【請求項３】
関節が膝関節である請求項１又は２記載の関節用サポーター。
【請求項４】
関節が肘関節である請求項１又は２記載の関節用サポーター。
【請求項５】
膝蓋骨当接部下部を、面ファスナーの脱着による開閉自在な被覆部としたことを特徴とする請求項１〜３の何れか１項記載の関節用サポーター。
【発明の詳細な説明】
【０００１】
【発明の属する技術分野】
本発明は関節用サポーターに関する。
【０００２】
【従来の技術】
従来、関節用サポーター、例えば膝関節用の場合に於ては、一般に立位すなわち膝関節を伸展した状態の形状に対応せしめた筒状体によって構成せられていた。
【０００３】
そのため、従来の関節用サポーターを装着した場合には、関節屈曲時に、膝裏等の関節屈曲部内面に生地のたるみやヨレが生じる結果、不快な圧迫感や痛みをもたらしていたのが実状であった。
【０００４】
他方、これを避けるため、例えば膝関節を屈曲した状態の形状に対応せしめたＬ字型の筒状体とした場合には、確かに関節屈曲時のフィット性には支障はないものの、今度は関節伸展時に、膝蓋骨等の関節屈曲部外面に生地のたるみやヨレが生じ、フィット性はもとより外観の点からも実用性に欠けると云う問題があった。
【０００５】
【発明が解決しようとする課題】
本発明は斯かる従来の問題に鑑みてなされたものであり、関節の伸展時、屈曲時の如何に拘らず、生地のたるみやヨレの生じることのない極めてフィット性に優れた関節用サポーターを提供することを目的とする。
【０００６】
【課題を解決するための手段】
本発明は、伸展状態の関節屈曲部外面に対応した形状を呈する関節屈曲部外面被覆用伸縮性生地部片と、屈曲状態の関節屈曲部内面に対応した形状を呈する関節屈曲部内面被覆用伸縮性生地部片との接合筒状体から成ることを特徴とする関節用サポーターにより上記目的を達成したものである。
【０００７】
【発明の実施の形態】
本発明に於て、関節屈曲部外面被覆用伸縮性生地部片と、関節屈曲部内面被覆用伸縮性生地部片との具体的接合手段としては、両部片の裁断後、縫合によるのが簡便である。尚、この場合、両部片は単一部片のみならず、それぞれ複数片として裁断した後、縫製したものであっても良い。
【０００８】
本発明に於て、関節の屈曲状態の具体的角度としては９０°の状態、換言すればＬ字状の関節状態とするのが好ましい。
【０００９】
本発明関節用サポーターは、これを膝関節用サポーターあるいは肘関節用サポーターとして実施するのが特に有利である。
【００１０】
本発明を膝関節用サポーターとして実施する場合、関節屈曲部外面被覆用伸縮性生地部片の膝蓋骨当接部下部は、これを面ファスナーの脱着による開閉自在な被覆部とするのが、装着操作性に優れることはもとより、圧迫力を自在に調節し得るので、適切な固定作用が得られる点で特に優れている。因に、面ファスナー固定部を膝蓋骨当接部から上部に設けた場合には膝関節屈曲時、面ファスナー固定部が障害となり、関節屈曲部外面被覆用伸縮性生地部片のスムースな伸びが得られない。
【００１１】
また、関節屈曲部外面被覆用伸縮性生地部片の膝蓋骨当接部には略円形状の切除孔を設けるのが、膝蓋骨に無用な圧迫感を与えることを防止できるので好ましい。
【００１２】
【実施例】
以下、実施例を示す図面と共に本発明を更に説明する。
【００１３】
第１の実施例を示す図１に於て、１は膝関節用サポーターで、関節屈曲部外面被覆用伸縮性生地部片１１と関節屈曲部内面被覆用伸縮性生地部片１２との縫合筒状体より構成されている。
【００１４】
この関節屈曲部外面被覆用伸縮性生地部片１１は、図２に示す如く、伸展せしめた状態の膝関節屈曲部外面に対応せしめて裁断されたもので縫合前に於てはほぼ長方形状を呈し、また関節屈曲部内面被覆用伸縮性生地部片１２は、図３に示す如く、略９０°に屈曲せしめた状態の膝関節屈曲部内面に対応せしめて裁断された水平部片１２ａと垂直部片１２ｂとの縫製体より成り、縫合前に於てはほぼＬ字状を呈している。尚、図２及び３に於て、２は脚部を示す。
【００１５】
斯かる両生地部片１１及び１２の縫合により、膝関節用サポーター１は図１に示す如く、関節屈曲部外面被覆用伸縮性生地部片１１が関節屈曲部内面方向にやや屈曲した状態となると共に、関節屈曲部内面被覆用伸縮性生地部片１２は、関節屈曲部外面方向にやや起立した状態となっている。
【００１６】
また、関節屈曲部外面被覆用伸縮性生地部片１１の膝蓋骨当接部には略円形状の切除孔１１ａが形設されている。
【００１７】
而して、本実施例に係る膝関節用サポーター１を装着後、膝関節を伸展した場合には、図４に示す如く、関節屈曲部外面被覆用伸縮性生地部片１１は縫合前の形態から殆ど伸びも縮みもせずそのままの状態である一方、関節屈曲部内面被覆用伸縮性生地部片１２は縫合前の形態から伸びた状態となるので、何れの部位にも生地のたるみやヨレは生じることがなく、極めて優れたフィット性が得られる。
【００１８】
他方、当該サポーター１を装着後、膝関節を屈曲した場合には、図５に示す如く、関節屈曲部外面被覆用伸縮性生地部片１１は縫合前の形態から伸びた状態となる一方、関節屈曲部内面被覆用伸縮性生地部片１２は縫合前の形態から殆ど伸びも縮みもせずそのままの状態であるので、何れの部位にも生地のたるみやヨレは生じることがなく、極めて優れたフィット性が得られる。
【００１９】
図６は第２の実施例を示すもので、第１の実施例に係る膝関節用サポーター１に於て、更に関節屈曲部外面被覆用伸縮性生地部片１１の膝蓋骨当接部下部を、面ファスナーの脱着による開閉自在な被覆部１１ｂとしたもので、これにより圧迫力を自在に調節し得るので適切な固定作用が得られる。
【００２０】
【発明の効果】
本発明関節用サポーターを用いれば、関節の伸展時、屈曲時の如何に拘らず、生地のたるみやヨレが生じることはなく、常に優れたフィット性を得ることができる。
【図面の簡単な説明】
【図１】本発明関節用サポーターの第１の実施例を示す側面説明図。
【図２】関節屈曲部外面被覆用伸縮性生地部片の縫合前の形態を示す側面説明図。
【図３】関節屈曲部内面被覆用伸縮性生地部片の縫合前の形態を示す側面説明図。
【図４】第１の実施例に係る本発明関節用サポーターを装着して膝関節を伸展したときの状態を示す側面説明図。
【図５】第１の実施例に係る本発明関節用サポーターを装着して膝関節を屈曲したときの状態を示す側面説明図。
【図６】本発明関節用サポーターの第２の実施例を示す側面説明図。
【符号の説明】
１：膝関節用サポーター
１１：関節屈曲部外面被覆用伸縮性生地部片
１１ａ：切除孔
１１ｂ：面ファスナーによる開閉被覆部
１２：関節屈曲部内面被覆用伸縮性生地部片
１２ａ：水平部片
１２ｂ：垂直部片
２：脚部
【図１】
0003729923.tif 000002
【図２】
0003729923.tif 000003
【図３】
0003729923.tif 000004
【図４】
0003729923.tif 000005
【図５】
0003729923.tif 000006
【図６】
0003729923.tif 000007